(57)【特許請求の範囲】
【請求項１】
温風発生手段を含む内蔵品と、内蔵品を内蔵するハウジングとを備え、ハウジングの前面下部に温風発生手段からの温風を吹出す温風吹出口が設けられた温風暖房器において、
ハウジングの横方向両側面に、温風吹出口より上方に位置させて、横方向外方に張り出す耳部が設けられ、各耳部は、ハウジングと別体且つ中空であり、内蔵品を内蔵しておらず、各耳部の背面に取手部が凹設されることを特徴とする温風暖房器。
【請求項２】
請求項１記載の温風暖房器において、前記ハウジングは前面パネルを備え、前面パネルは前記各耳部の横方向外側縁までのびて前記各耳部の前面を覆うことを特徴とする温風暖房器。
【発明の詳細な説明】
【技術分野】
【０００１】
本発明は、ガスファンヒータ等の温風暖房器に関する。
【背景技術】
【０００２】
従来、温風発生手段を収容するハウジングの横方向両側面に、内方に凹んだ形状の取手部が設けられた温風暖房器が知られている（例えば、特許文献１参照）。
【０００３】
しかしながら、従来の温風暖房器の取手部は、温風発生手段等のハウジング内蔵品との干渉を避ける上で、ハウジングの側面からの凹入深さが制限される。このため、従来の温風暖房器は、取手部に指を深く差し込むことができず、指先の力が衰えた老人等には持ち上げ難いものであった。
【特許文献１】特開２００６−３８２６８号公報
【発明の開示】
【発明が解決しようとする課題】
【０００４】
本発明は、以上の点に鑑み、指先の力が衰えた人でも持ち上げ易く、且つ、斬新なデザインの温風暖房器を提供することを目的とする。
【課題を解決するための手段】
【０００５】
上記目的を達成するため、本発明は、温風発生手段を含む内蔵品と、内蔵品を内蔵するハウジングとを備え、ハウジングの前面下部に温風発生手段からの温風を吹出す温風吹出口が設けられた温風暖房器において、ハウジングの横方向両側面に、温風吹出口より上方に位置させて、横方向外方に張り出す耳部が設けられ、各耳部は、ハウジングと別体且つ中空であり、内蔵品を内蔵しておらず、各耳部の背面に取手部が凹設されることを特徴とする。
【０００６】
本発明によれば、ハウジングの横方向両側面に外方に張り出す耳部を設け、この耳部に取手部が凹設されているため、取手部はハウジングの内蔵品との干渉による凹入深さの制約を受けない。このため、従来よりも深い取手部を凹設することができる。
【０００７】
尚、耳部の横方向外側面に取手部を凹設することも考えられる。然し、これでは、腕を横方向に大きく広げなければ取手部に指を掛けることができず、持ち上げ易くはならない。
【０００８】
一方、本発明では、耳部の背面に取手部を凹設するため、腕を然程広げなくても取手部に指を掛けることができ、取手部の凹入深さを大きくできることと相俟って、指先の力が衰えた人でも温風暖房器を容易に持ち上げることができる。
【０００９】
また、耳部が温風吹出口より上方に位置してハウジングの横方向両側面から張り出しているため、温風暖房器があたかも薄型液晶テレビの如き形状を醸し出し、従来にはない斬新なデザインとすることができる。
【００１０】
ところで、ハウジングは前面パネルを備えるが、本発明のように、耳部がハウジングの左右外方に突出していると、ハウジングと耳部との境界線が外観に現れてしまう。この場合、前面パネルを各耳部の横方向外側縁までのばし各耳部の前面を覆えば、ハウジングと耳部との境界線を隠すことができ、温風暖房器の前方から視認した場合の外観を良好とすることができる。
【発明を実施するための最良の形態】
【００１１】
以下、図１、図２に示す本発明の実施形態の温風暖房器であるガスファンヒータ１について説明する。ガスファンヒータ１は、前面下部に温風吹出口２ａを有するハウジング２と、ハウジング２に内蔵される温風発生手段３（図３参照）とを備える。
【００１２】
ハウジング２は、図２、図３に示すように、横方向に長手で略長方形状の底板２１と、底板２１の後縁部から上方へ起立する略矩形状の後板２２と、後板２２の横方向両側縁から底板２１の横方向側縁に沿って前方へのびる側板２３，２３とを備える。後板２２には給気口２２ａが開設され、側板２３，２３の前端縁には横方向内方に張り出す受け板２３ａが設けられている。
【００１３】
温風発生手段３は、図３に示すように、図示省略したバーナを内蔵する燃焼筺と、燃焼筺を囲い通風路を形成すると共に前面下方に温風吹出口２ａに臨む開口３１ａを有する通風筺３１と、通風筺３１内の下方に配置され、モータ３２で駆動される温風ファン（図示省略）とを備える。
【００１４】
温風発生手段３は、温風ファンの作動により給気口２２ａから室内空気を吸引し、吸引した空気を通風路でバーナの燃焼排ガスと混合して、温風を吹出口２ａから吹出す。
【００１５】
ハウジング２の側板２３，２３には、吹出口２ａより上方に位置させて、横方向外方に張り出す合成樹脂製の耳部４が設けられている。耳部４の背面上方部には、前方へ凹んだ取手部４ａ（図２参照）が凹設されている。このように耳部４に取手部４ａを凹設すれば、従来のようにハウジング２の側板２３に取手部を凹設する場合と異なり、温風発生手段３等のハウジング内蔵品との干渉による制約を受けることなく、取手部４ａの凹入深さを大きくして指を掛け易い形状とすることができる。
【００１６】
尚、取手部を耳部４の横方向側面に設けることも考えられるが、取手部を耳部４の横方向側面に設けると腕を横方向に大きく広げて取手部に指を掛けなければならず、持ち易くならない。実施形態のガスファンヒータ１では、耳部４の背面上方に取手部４ａを設けているため、然程腕を広げなくても取手部４ａに指を掛けることができ、取手部４ａの凹入深さを大きくできることと相俟って、指先の力が衰えた人でも容易に取手部４ａに指を掛け持ち上げることができる。
【００１７】
また、耳部４が吹出口２ａより上方に位置してハウジング２の側板２３，２３から横方向外方へ張り出しているため、ガスファンヒータ１があたかも薄型液晶テレビの如き形状を醸し出し、従来にはない斬新なデザインとすることができる。
【００１８】
耳部４には、横方向内方に突出し先端が後方へ屈曲した略Ｌ字状の複数の突片４ｂが設けられている。この突片４ｂを側板２３に形成された複数の孔部２３ｂに挿入して、耳部４を側板２３に対して後方へスライドさせることにより、突片４ｂの先端の屈曲部が孔部２３ｂの後側の孔縁部の背面に係合し耳部４が抜け止めされる。
【００１９】
また、耳部４の前面には金属製の補強板４１が取付けられている。補強板４１の横方向内側縁には、横方向内方に突出する上下一対の突片４１ａが設けられている。上側の突片４１ａの先端は下方に屈曲し、下側の突片４１ａの先端は上方に屈曲している。各側板２３には、上下一対の突片４１ａ，４１ａに対応する上下一対の孔部２３ｃ，２３ｃが設けられている。上側の孔部２３ｃの下側の孔縁部は後上りに傾斜した傾斜縁になっており、下側の孔部２３ｃの上側の孔縁部は後下りに傾斜した傾斜縁になっている。各突片４１ａは、耳部４の突片４ｂを側板２３の孔部２３ｂに挿入する際に、各孔部２３ｃの前部に挿入される。そして、耳部４を側板２３に対して後方へスライドし、突片４ｂと孔部２３ｂとが係合した際に、各突片４１ａの先端の屈曲部が各孔部２３ｃの傾斜縁の後端部背面に係合する。この状態では、各孔部２３ｃに対する各突片４１ａの上下方向のクリアランスがなくなり、耳部４が側板２３に対して上下方向にガタ無く位置決めされる。
【００２０】
補強板４１の横方向内側縁には、前方へのびる延長片４１ｂが連設されている。延長片４１ｂの先端縁には、横方向内方へ屈曲するフランジ４１ｃが連設されている。フランジ４１ｃは、耳部４を側板２３に対して後方へスライドし突片４ｂと孔部２３ｂとが係合した際に、受け板２３ａの前面に重なるように当接し、この状態でフランジ４１ｃは受け板２３ａにネジ止めされる。
【００２１】
また、ハウジング２は、後板２２、側板２３、耳部４の外縁に沿って略扇形状に形成された天板２４を備え、天板２４は耳部４の上面を覆うように取付けられている。これにより、ガスファンヒータ１を上方から視認しても、ハウジング２と耳部４との境界線が外観に現れず、外観を良好に保つことができる。
【００２２】
さらに、ハウジング２は図１に示す如く前面パネル２５を備える。前面パネル２５は、吹出口２ａの上方に位置すると共に、耳部４，４の横方向外側縁までのびて耳部４，４の前面を覆うように取付けられている。これにより、ガスファンヒータ１の前面にハウジング２と耳部４との境界線が現れることなく、外観を良好とすることができる。尚、図３においては前面パネル２５は省略している。
【００２３】
吹出口２ａにはルーバー５が設けられている。ルーバー５は、横方向にのびる複数枚のルーバー片５１ａを有する金属製のルーバー本体５１と、ルーバー本体５１の横方向両側にルーバー本体５１に対し後方に傾動自在に連結される合成樹脂製の取付け板５２，５２とで構成される。
【００２４】
図４、図５に示すように、ルーバー本体５１の背面の横方向両側には、横方向に張り出す張出片５１ｂが設けられている。また、取付け板５２の横方向内側縁には、後方へのびる押え部５２ａが形成されている。また、取付け板５２の背面の横方向内側縁部には、押え部５２ａを張出片５１ｂの前面に当接させた状態で張出片５１ｂの背面に当接するように先端が横方向内方へ屈曲する略Ｌ字状の上下一対の押え爪５２ｂ，５２ｂが設けられている。取付け板５２は、張出片５１ｂを押え部５２ａと押え爪５２ｂとで前後方向から挟み込むことによりルーバー本体５１に連結されている。
【００２５】
また、取付け板５２がルーバー本体５１から脱落することを防止すべく、張出片５１ｂの先端に押え爪５２ｂ，５２ｂの間を通って横方向外方に延びる突片５１ｃを設け、この突片５１ｃ内をＵ字状に切欠くことにより横方向内方へ突出する爪部５１ｄを形成し、この爪部５１ｄを図５（ａ）に示す如く前方へ傾斜させて、その先端を押え部５２ａの横方向外側面に当接させている。また、突片５１ｃの上縁が上側の押え爪５２ｂの下面に当接し、突片５１ｃの下縁が下側の押え爪５２ｂの上面に当接して、取付け板５２がルーバー本体５１に対し上下方向に位置決めされる。
【００２６】
また、押え部５２ａの先端面の横方向外側の部分には、前方へ凹んだ凹部５２ｃが形成されている。また、各押え爪５２ｂの先端の屈曲部の前面は、横方向内方に向かって後方へ傾斜した傾斜面に形成されている。この凹部５２ｃと押え爪５２ｄの屈曲部の傾斜面とにより、取付け板５２は、図５（ｂ）に示す如くルーバー本体５１に対して後方に傾動自在となる。
【００２７】
取付け板５２の背面の横方向外側の部分には、横方向外方へ突出する先端の顎部を有する係止爪５２ｄと、係止爪５２ｄの横方向内側に位置するガイド突起５２ｅとが突設されている。取付け板５２は受け板２３ａと対向しており、また、受け板２３ａには取付け板５２の係止爪５２ｄ及びガイド突起５２ｅに対応する係止孔２３ｄが設けられている。
【００２８】
ルーバー５を吹出口２ａに取付けるには、まず、図５（ｂ）に示すように、取付け板５２をルーバー本体５１に対して後傾させる。この状態で係止爪５２ｄ及びガイド突起５２ｅを係止孔２３ｄの位置に合わせ、ルーバー本体５１を吹出口２ａに向かって後方へ押し込む。これによれば、係止爪５２ｄ及びガイド突起５２ｅが係止孔２３ｄに挿入され、取付け板５２の横方向外側縁部が受け板２３ａに当接する。引続き、ルーバー本体５１を後方へ押し込むと、図５（ａ）に示す如く取付け板５２の後傾が解消される。取付け板５２の後傾が解消されると、係止爪５２ｄの顎部が係止孔２３ｄの横方向外側の孔縁部の背面に係合し、受け板２３ａに対して抜け止される。また、ガイド突起５２ｅが係止孔２３ｄの横方向内側の孔縁部に当接して、取付け板５２が受け板２３ａに対し横方向に位置決めされる。このようにしてルーバー５が吹出口２ａに取付けられる。
【００２９】
尚、実施形態のガスファンヒータ１においては、より確実にルーバー５を吹出口２ａに固定すべく、通風筺３１の前面下部の開口３１ａの側部前縁にネジ孔３１ｂを形成し、このネジ孔３１ｂにルーバー本体５１をネジ止めしている。係止爪５２ａと係止孔２３ｄとの係合により通風筺３１のネジ孔３１ａと、ルーバー本体５１に設けられたネジ用孔との位置合わせが容易であり、また、ネジは全て前方から止めることができるため、従来のように横方向両側からルーバーをネジ止めするものと異なり、ルーバーの着脱作業が容易となる。
【００３０】
ルーバー５を吹出口２ａから取り外す場合には、ルーバー本体５１のネジ止めを解除して、ルーバー本体５１を前方に引張る。ルーバー本体５１が前方へ引張られると、取付け板５２は、係止爪５２ｄが受け板２３ａの係止孔２３ｄに係合しているため、ルーバー本体５１に対して後方に傾斜した後傾姿勢となる。このとき、係止爪５２ｄは取付け板５２が後方に傾くことによりルーバー本体５１側に傾斜し、係止爪５２ｄと係止孔２３ｄとの係合が解除される。この状態から更にルーバー５を前方に引張ることにより、係止爪５２ｄが係止孔２３ｄから抜け出しルーバー５が吹出口２ａから取り外される。
【００３１】
以上、ガスファンヒータ１に本発明を適用した実施形態について説明したが、ガスファンヒータに限られず、石油ファンヒータ等の他の温風暖房器にも同様に本発明を適用できる。
【図面の簡単な説明】
【００３２】
【図１】本発明の温風暖房器の実施形態を示す斜視図。
【図２】実施形態の温風暖房器の背面を示す斜視図。
【図３】実施形態の温風暖房器を分解して示す図。
【図４】実施形態の温風暖房器のルーバーを示す斜視図。
【図５】実施形態の温風暖房器のルーバーの取付け構造を示す説明的断面図。
【符号の説明】
【００３３】
１…ガスファンヒータ（温風暖房器）、  ２…ハウジング、  ２ａ…温風吹出口、  ２５…前面パネル、  ３…温風発生手段、  ４…耳部、  ４ａ…取手部。
【図１】
0005035801.tif 000002
【図２】
0005035801.tif 000003
【図３】
0005035801.tif 000004
【図４】
0005035801.tif 000005
【図５】
0005035801.tif 000006